(57)【要約】【課題】圧縮機能を備えたごみ箱を、使い勝手がよい上方からのゴミ投入を行うことができて、横長で、高さが嵩張ることがない横置きに適したものとすること。【解決手段】前端開口１６を有して内側にゴミ収容室１４を画定するケーシング１２と、上方開口で後方がゴミ収容室１４に向けて開放されたゴミ受取部２４を有し、ゴミ受取部２４がケーシング１２の前端開口１６より前側に引き出された引き出し位置とゴミ受取部２４がケーシング１２内に差し込まれた差し込み位置との間をスライド可能なゴミ受取部材２２とを有し、ゴミ受取部材２２には、ゴミ受取部材２２をスライド移動させるための傾動可能な取っ手部材５０と、取っ手部材５０の傾動によってゴミ受取部２４に進入する方向に移動する押し込み部材４６とが取り付けられている。【選択図】図２
2011251839.tif 000002
【特許請求の範囲】
【請求項１】
前端開口を有して内側にゴミ収容室を画定するケーシングと、
上方開口で後方が前記ゴミ収容室に向けて開放されたゴミ受取部を有し、前記ゴミ受取部が前記ケーシングの前端開口より前側に引き出された引き出し位置と前記ゴミ受取部が前記ケーシング内に差し込まれた差し込み位置との間をスライド可能なゴミ受取部材と、
前記ゴミ受取部材の前端部に傾動可能に連結され、前記ゴミ受取部材をスライド移動させる取っ手部材と、
前記ゴミ受取部材の前記ゴミ受取部より前側にあって前記ゴミ受取部材のスライド方向と同方向にスライド可能に設けられ、前記取っ手部材の傾動により前記ゴミ受取部に進入する方向に移動する押し込み部材と、
を有するゴミ箱。
【請求項２】
前記ケーシングの前記前端開口近傍に取り付けられ、前記前端開口より前記ゴミ収容室へのゴミの移動を許して前記ゴミ収容室より前記前端開口へのゴミの移動を禁止する逆止部材を有し、ケーシング１２の後端側に開閉可能なゴミ取出部を有する請求項１に記載のゴミ箱。
【請求項３】
前記ゴミ受取部材に転倒可能に取り付けられた仕切り板と、前記仕切り板を起立方向に付勢するばねとを有し、
前記仕切り板は、前記ばねのばね力によって起立状態となって前記ゴミ受取部と前記ゴミ収容室とを区画し、前記ゴミ収容室の側から押された場合には転倒せず、前記ゴミ受取部の側から押された場合のみ前記ばねのばね力に抗して転倒し、前記ゴミ受取部より前記ゴミ収容室へのゴミの移動を許容する請求項１または２に記載のゴミ箱。
【請求項４】
前記ゴミ受取部材を前記差し込み位置に選択的に固定するロック機構を有し、当該ロック機構は、前記ゴミ受取部材が前記差し込み位置に位置することによりロック状態になり、前記取っ手部材の傾動によってロックを解除する請求項１から３の何れか一項に記載のゴミ箱。
【発明の詳細な説明】
【技術分野】
【０００１】
本発明は、ゴミ箱に関し、特に、投入されたゴミを圧縮して収容する圧縮機能付きのゴミ箱に関するものである。
【背景技術】
【０００２】
圧縮機能付きのゴミ箱として、ゴミ箱本体の上方開口部を開閉する蓋体が上下動可能に設けられ、操作レバーの手操作によって蓋体が閉状態でゴミ箱本体内を降下することにより、上方開口部よりゴミ箱本体内に投入された紙ゴミ等を圧縮するゴミ箱が知られている（例えば、特許文献１）。
【先行技術文献】
【特許文献】
【０００３】
【特許文献１】特開２００２−３７４０２号公報
【発明の概要】
【発明が解決しようとする課題】
【０００４】
特許文献１に示されているような圧縮機能付きのゴミ箱は、縦置きのゴミ箱であるので、広い空間、特に高さを確保できる洗面室等、家屋での使用に適しているが、自動車の室内等、高さを確保することが難しい狭い空間での使用には適していない。
【０００５】
本発明が解決しようとする課題は、圧縮機能付きのゴミ箱を、自動車の室内等、高さを確保することが難しい狭い場所に設置できるようにすること、特に、座席下方空間の有効利用と車室内でのゴミ箱の使い勝手の良さとを両立することである。
【課題を解決するための手段】
【０００６】
本発明によるゴミ箱（１０）は、前端開口（１６）を有して内側にゴミ収容室（１４）を画定するケーシング（１２）と、上方開口で後方が前記ゴミ収容室（１４）に向けて開放されたゴミ受取部（２４）を有し、前記ゴミ受取部（２４）が前記ケーシング（１２）の前端開口（１６）より前側に引き出された引き出し位置と前記ゴミ受取部（２４）が前記ケーシング（１２）内に差し込まれた差し込み位置との間をスライド可能なゴミ受取部材（２２）と、前記ゴミ受取部材（２２）の前端部に傾動可能に連結され、前記ゴミ受取部材（２２）をスライド移動させる取っ手部材（５０）と、前記ゴミ受取部材（２２）の前記ゴミ受取部（２４）より前側にあって前記ゴミ受取部材（２２）のスライド方向と同方向にスライド可能に設けられ、前記取っ手部材（５０）の傾動により前記ゴミ受取部（２４）に進入する方向に移動する押し込み部材（４６）とを有する。
【０００７】
この構成によれば、ゴミ受取部材（２２）を引き出し位置に引き出すことにより、ゴミ受取部（２４）に、上方からゴミ投入を行うことができ、取っ手部材（５０）によってゴミ受取部材（２２）を引き出す際に、取っ手部材（５０）を傾動させるだけで、押し込み部材（４６）がゴミ受取部（２４）に進入する方向に移動し、次のゴミ投入に先立って既に投入されているゴミの押し込み圧縮を行うので、ゴミ箱（１０）のゴミ収容量が増す。
【０００８】
本発明によるゴミ箱は、好ましくは、更に、前記ケーシング（１２）の前記前端開口（１６）近傍に取り付けられ、前記前端開口（１６）より前記ゴミ収容室（１４）へのゴミの移動を許して前記ゴミ収容室（１４）より前記前端開口（１６）へのゴミの移動を禁止する逆止部材（３６）を有し、前記ケーシング（１２）の後端側に開閉可能なゴミ取出部（２０）を有する。
【０００９】
この構成によれば、一旦、ゴミ収容室（１４）に入れられたゴミが逆止部材（３６）によって堰き止められて前端開口（１６）の側へ逆流することがなく、ゴミ受取部材（２２）を引き出し位置に引き出した時に、ゴミ受取部（２４）が空状態であることを保証する。
【００１０】
本発明によるゴミ箱は、好ましくは、更に、前記ゴミ受取部材（２２）に転倒可能に取り付けられた仕切り板（２８）と、前記仕切り板（２８）を起立方向に付勢するばね（３２）とを有し、前記仕切り板（２８）は、前記ばね（３２）のばね力によって起立状態となって前記ゴミ受取部（２４）と前記ゴミ収容室（１４）とを区画し、前記ゴミ収容室（１４）の側から押された場合には転倒せず、前記ゴミ受取部（２４）の側から押された場合のみ前記ばね（３２）のばね力に抗して転倒し、前記ゴミ受取部（２４）より前記ゴミ収容室（１４）へのゴミの移動を許容する。
【００１１】
この構成によれば、仕切り板（２８）によってゴミ収容室（１４）の側からゴミ受取部（２４）へゴミの移動が禁止され、ゴミ収容室（１４）からゴミ受取部（２４）へゴミが逆流することがない。
【００１２】
本発明によるゴミ箱は、好ましくは、更に、前記ゴミ受取部材（２２）を前記差し込み位置に選択的に固定するロック機構（６４、６８）を有し、当該ロック機構（６４、６８）は、前記ゴミ受取部材（２２）が前記差し込み位置に位置することによりロック状態になり、前記取っ手部材（５０）の傾動によってロックを解除する。
【００１３】
この構成によれば、ロック機構（６４、６８）によってゴミ受取部材（２２）が差し込み位置に選択的に固定され、不用意にゴミ受取部材（２２）が引き出し方向に移動することがない。ロック解除は、取っ手部材（５０）によってゴミ受取部材（２２）を引き出す際に、取っ手部材（５０）を傾動させるだけで行われるので、ロック解除操作が煩わしいものにならない。
【発明の効果】
【００１４】
本発明によるゴミ箱は、使い勝手がよい上方からのゴミ投入を行うことができて、横長で、高さが嵩張ることがない圧縮機能を備えた横置きに適したゴミ箱になる。
【図面の簡単な説明】
【００１５】
【図１】本発明によるゴミ箱の一つの実施例の閉状態を示す斜視図。
【図２】本発明によるゴミ箱の一つの実施例の開状態を示す斜視図。
【図３】本実施例によるゴミ箱の開状態の半断面斜視図。
【図４】本実施例によるゴミ箱のゴミ受取部材組立体を示す斜視図。
【図５】本実施例によるゴミ箱の分解斜視図。
【図６】本実施例によるゴミ箱の動作行程（Ａ）〜（Ｄ）を示す断面図。
【図７】本実施例によるゴミ箱の動作行程（Ｅ）〜（Ｇ）を示す断面図。
【図８】本実施例によるゴミ箱の使用例を示す斜視図。
【発明を実施するための形態】
【００１６】
この発明によるゴミ箱の一つの実施例を、図１〜図５を参照して説明する。
【００１７】
ゴミ箱１０は、外殻部材として、ケーシング１２を有する。ケーシング１２は横長の四角筒体により構成され、内側にゴミ収容室１４を画定している。ケーシング１２の前端開口は開口端として前端開口部１６をなしている。ケーシング１２の後端開口は、ケーシング１２の後端部に着脱可能に取り付けられた後部蓋体１８により開閉されるゴミ取出口２０になっている。後部蓋体１８は、ゴミ収容室１４の後壁をなしている。
【００１８】
ケーシング１２には、前端開口部１６よりケーシング１２内にゴミ受取部材２２が挿入されている。ゴミ受取部材２２は、底壁２２Ａと左右側壁２２Ｂ、２２Ｃとにより溝形断面形状をなし、上方開口で、後方がゴミ収容室１４に向けて開放されたゴミ受取部２４を有する。ゴミ受取部材２２は、図２に示されているように、ゴミ受取部２４がケーシング１２の前端開口部１６より前方に引き出されてケーシング１２外に露呈する引き出し位置と、ゴミ受取部２４がケーシング１２内に差し込まれた差し込み位置との間をスライド可能になっている。
【００１９】
ゴミ受取部材２２の底壁２２Ａには枢軸２６によって仕切り板２８が回動可能に取り付けられている。仕切り板２８には、ゴミ受取部材２２の底壁２２Ａに当接することにより、図３で見て反時計廻り方向の回動を規制するストッパ突起３０が設けられている。仕切り板２８は、ストッパ突起３０がゴミ受取部材２２の底壁２２Ａに当接することにより、それ以上の図３で見て反時計廻り方向の回動を規制された状態で起立（略直立）し、ゴミ受取部２４とゴミ収容室１４とを区画する。仕切り板２８は、この起立状態より図３で見て時計廻り方向へ回動することにより、ゴミ収容室１４の側へ倒れ、ゴミ受取部材２２の底壁２２Ａと面一になるまで転倒可能である（図６（Ｂ）参照）。
【００２０】
仕切り板２８とゴミ受取部材２２との間には捩りコイルばね３２が取り付けられている。捩りコイルばね３２は、仕切り板２８を、図３で見て反時計廻り方向、換言すると、起立方向に付勢している。
【００２１】
仕切り板２８は、ゴミ収容室１４の側から押された場合には、ストッパ突起３０がゴミ受取部材２２の底壁２２Ａに当接することにより転倒せず、起立状態を維持する。これに対し、ゴミ受取部２４の側から押された場合には、捩りコイルばね３２のばね力に抗して転倒し、ゴミ受取部２４よりゴミ収容室１４へのゴミの移動を許容する。このようにして、仕切り板２８は、ゴミ収容室１４の側からゴミ受取部２４へゴミの移動を禁止し、ゴミ収容室１４からゴミ受取部２４へゴミが逆流しないようにする。
【００２２】
ケーシング１２の天井壁１２Ａの前端開口１６近傍には軸状突起３４によって堰き止め板３６が回動可能に取り付けられている。堰き止め板３６には、ケーシング１２の天井壁１２Ａに当接することにより、図３で見て時計廻り方向の回動を規制するストッパ突起３８が設けられている。堰き止め板３６は、ストッパ突起３８がケーシング１２の天井壁１２Ａに当接することにより、それ以上の図３で見て時計廻り方向の回動を規制された状態で、自重によって垂直に垂下して前端開口１６の側、換言するとゴミ収容室１４よりゴミ受取部２４へのゴミの逆流を防止する。堰き止め板３６は、この垂下状態より図３で見て反時計廻り方向へ回動することにより、ゴミ収容室１４の側へ跳ね上ることができる。
【００２３】
このように、堰き止め板３６は、前端開口１６の側よりゴミ収容室１４へのゴミの移動を許してゴミ収容室１４より前端開口１６へのゴミの移動を禁止する逆止部材として作用する。
【００２４】
仕切り板２８と堰き止め板３６の位置関係は、ゴミ受取部材２２が差し込み位置にある状態では、堰き止め板３６より仕切り板２８が後側にある（図６（Ａ）参照）。ゴミ受取部材２２が差し込み位置より引き出し位置へ移動することにより、仕切り板２８は転倒しながら垂下状態の堰き止め板３６の下方をすり抜けて堰き止め板３６より前側に位置し（図６（Ｄ）参照）、ゴミ受取部材２２が引き出し位置より差し込み位置へ移動する際には、仕切り板２８が堰き止め板３６を跳ね上げながら堰き止め板３６を乗り越して堰き止め板３６より後側に位置する（図７（Ｆ）参照）。
【００２５】
ケーシング１２の天井壁１２Ａには、跳ね上げられた堰き止め板３６を受け入れる開口４０が形成されている。開口４０は、ケーシング１２をゴミ箱取付対象物より吊り下げ支持するためのマウント部４２を備えてケーシング１２に固定された上部蓋体４４によって閉じられている。マウント部４２は、バヨネット式のものであり、ゴミ箱取付対象物には、マウント部４２とバヨネット係合するリング部材４３が取り付けられる。
【００２６】
ゴミ受取部材２２には、箱状の押し込み部材４６が設けられている。押し込み部材４６は、ゴミ受取部２４より前側にあってゴミ受取部材２２のスライド方向と同方向にスライド可能で、先端壁部（後端面）４６Ａがゴミ受取部２４より前方に位置してゴミ受取部２４の前部画定する定常位置と、先端壁部４６Ａがゴミ受取部２４に進入する進入位置との間に往復動可能になっている。押し込み部材４６は、ゴミ受取部材２２が差し込み位置にある状態において、定常位置より進入位置へ移動することにより、堰き止め板３６を上方に跳ね上げる（図６（Ｂ）参照）。
【００２７】
ゴミ受取部材２２の前部には、枢軸４８によって取っ手部材５０が傾動可能に取り付けられている。枢軸４８は、取っ手部材５０の中間部に形成された長孔５２を遊嵌状態で貫通してゴミ受取部材２２のブラケット５４に形成された円孔５６に圧入されている。これにより、取っ手部材５０は、ゴミ受取部材２２を手動でスライド移動させるための操作子であって、長孔５２の長手方向範囲で、後方へ滑り込むようにして所定の傾斜角範囲で傾動することができる。取っ手部材５０は後方へ折曲した先端部５１を枢軸５８によって押し込み部材４６の背部に枢動可能に連結されている。
【００２８】
取っ手部材５０と押し込み部材４６との間には捩りコイルばね６０が取り付けられている。捩りコイルばね６０は、取っ手部材５０を図３で見て時計廻り方向に付勢している。
このばね付勢によって取っ手部材５０は、起立し、起立状態より捩りコイルばね６０のばね力に抗して図３で見て反時計廻り方向の回動によって傾動することにより、押し込み部材４６を定常位置より進入位置へ移動させる。
【００２９】
ゴミ受取部材２２の前端部には前蓋部材６１が取り付けられている。
【００３０】
ゴミ受取部材２２の底壁２２Ａには上下貫通孔６２が形成されている。上下貫通孔６２にはロックピン６４が上下動可能に挿入されている。ロックピン６４は、圧縮コイルばね６６のばね力によって下方に付勢され、ゴミ受取部材２２が差し込み位置に位置することにより、ケーシング１２の底壁１２Ｂに形成された係合孔６８に嵌合し、ゴミ受取部材１２を差し込み位置に固定する（図６（Ａ）参照）。この状態をロック状態と云う。
【００３１】
ロックピン６４は、ゴミ受取部材２２が引き出し位置にある時にはケーシング１２外でゴミ受取部材２２の底壁２２Ａより下方に突出する（図７（Ｅ）参照）。ゴミ受取部材２２が引き出し位置より差し込み位置へ戻される際には、ロックピン６４がケーシング１２との当接により押し上げられてケーシング１２内の元の位置に戻るよう、ロックピン６４の先端面は傾斜面６４Ａになっている。
【００３２】
ロックピン６４は押し込み部材４６に形成されたカム部７０に係合している。このカム係合により、ロックピン６４は、押し込み部材４６の定常位置より進入位置への移動に伴い圧縮コイルばね６６のばね力に抗して持ち上げられて係合孔６８より抜け出す。これによりロックが解除され、ゴミ受取部材２２が差し込み位置より引き出し位置へ移動できる状態になる。なお、押し込み部材４６が定常位置にある状態では、ロックピン６４は、カム部７０との係合より離脱し（図６（Ａ）参照）、圧縮コイルばね６６のばね力によって押し下げられている。
【００３３】
つぎに、図６、図７を参照して本実施例によるゴミ箱１０の動作について説明する。
【００３４】
図６（Ａ）に示されているように、ゴミ受取部材２２が差し込み位置にある初期状態（閉状態）では、ロックピン６４が圧縮コイルばね６６のばね力によって係合孔６８に嵌合してゴミ受取部材２２を差し込み位置に固定するロック状態にあり、取っ手部材５０は捩りコイルばね６０のばね力によって起立状態にある。これに伴い押し込み部材４６は定常位置にある。
【００３５】
この初期状態において、ゴミ箱１０にゴミを投入する際には、取っ手部材５０を手で握って、取っ手部材５０を捩りコイルばね６０のばね力に抗して手前に（反時計廻り方向）に傾動させる。取っ手部材５０の傾動により、図６（Ｂ）に示されているように、押し込み部材４６が定常位置より進入位置へ移動する。この押し込み部材４６の移動により、既に、ゴミ箱１０内に投入されてゴミ受取部２４内にあるゴミＴ１がゴミ収容室１４の後方側に押される。これに伴い仕切り板２８が捩りコイルばね３２のばね力に抗してゴミ収容室１４の側へ倒れ、ゴミ受取部２４内にあったゴミＴ１は、ゴミ受取部２４の奥側にあるゴミＴ２と共に、押し込み部材４６とゴミ収容室１４の後壁をなす後部蓋体１８とに挟まれて圧縮されつつ転倒している仕切り板２８を乗り越えてゴミ収容室１４に押し込まれる。この圧縮によってゴミの嵩が低減し、ゴミ箱１０のゴミ収容可能量が増大する。
【００３６】
取っ手部材５０の傾動によって押し込み部材４６が定常位置より進入位置へ移動することにより、カム部７０によってロックピン６４が、圧縮コイルばね６６のばね力に抗して持ち上げられ、係合孔６８より抜け出し、ロックが解除される。これにより、ロック解除が煩わしい操作を必要とすることなく、操作性よく行われる。
【００３７】
この状態のまま取っ手部材５０を手前に引くことにより、図６（Ｃ）に示されているように、ゴミ受取部材２２がハウジング１２より前方に引き出され、ロックピン６４が係合孔６８より前方に離れた位置に位置する。その後、取っ手部材５０を手前に引きつつ取っ手部材５０の傾動を解除すると、図６（Ｄ）に示されているように、捩りコイルばね６０のばね力によって取っ手部材５０が元の起立位置へ戻り移動する。これに伴い押し込み部材４６が定常位置へ戻り移動し、ロックピン６４がカム部７０との係合より離れて圧縮コイルばね６６のばね力によって下方に付勢される。
【００３８】
このゴミ受取部材２２の引き出し位置への移動の際には、堰き止め板３６は垂下状態にあって仕切り板２８が堰き止め板３６の下方をくぐるので、ゴミ収容室１４にたくさんのゴミがあっても、ゴミは、堰き止め板３６によって堰き止められ、ゴミ受取部２４の側へ逆流することがない。
【００３９】
このゴミ受取部材２２が引き出し位置まで引き出されると、図７（Ｅ）に示されているように、ゴミ受取部２４は、ケーシング１２の前端開口より前側にあって、後退位置にある押し込み部材４６の先端壁４６Ａと起立した仕切り板２８とによって前後を区切られた上方開口のゴミ受け取り容器状をなす。これにより、既に投入されているゴミＴ１、Ｔ２が外側より見えることかない。このように、ゴミ受取部材２２が引き出し位置に引き出された状態で、ゴミＴ３をゴミ受取部２４の上方からゴミ受取部２４内に投入する。
【００４０】
ゴミ投入後に、取っ手部材５０を起立状態のまま、取っ手部材５０によってゴミ受取部材２２を引き出し位置より差し込み位置へ移動させる。この移動により、図７（Ｆ）、（Ｇ）に示されているように、ゴミ受取部２４がケーシング１２内へ移動すると共に、仕切り板２８が堰き止め板３６を跳ね上げながら堰き止め板３６を乗り越して堰き止め板３６より後側に位置し、ロックピン６４が傾斜面６４Ａに案内されて上昇し、図６（Ａ）に示されているように、ゴミ受取部材２２が差し込み位置に戻ると、ロックピン６４が係合孔６８内に落ち込み、ゴミ受取部材２２が再び差し込み位置に固定される。
【００４１】
ゴミ収容室１４内のゴミの廃棄は、後部蓋体１８を取り外してゴミ収容室１４内のゴミをゴミ取出口２０より取り出すことにより行うことができる。
【００４２】
上述したように、本実施例では、ゴミ受取部材２２を引き出し位置に引き出すことにより、ゴミ受取部２４に、上方からゴミ投入を行うことができ、取っ手部材５０によってゴミ受取部材２２を引き出す際に、取っ手部材５０を傾動させるだけで、押し込み部材４６がゴミ受取部２４に進入する方向に移動し、次のゴミ投入に先立って既に投入されているゴミの押し込み圧縮を行うので、紙のような嵩張るゴミであっても、ゴミ箱１０のゴミ収容量が増す。これにより、ゴミ収容室１４内のゴミ廃棄の頻度を軽減できる。
【００４３】
これにより、使い勝手がよい上方からのゴミ投入を行うことができて、横長で、高さが嵩張ることがない圧縮機能を備えた横置きに適したゴミ箱１０が得られる。
【００４４】
また、本実施例では、堰き止め板３６が設けられていることにより、一旦、ゴミ収容室１４に入れられたゴミが前端開口１６の側へ逆流することが阻止され、ゴミ受取部材２２を引き出し位置に引き出した時に、ゴミ受取部２４が空状態であることが保証される。
【００４５】
更に、本実施例では、仕切り板２８が設けられていることにより、ゴミ収容室１４の側からゴミ受取部２４へゴミがが逆流することもない。
【００４６】
なお、ゴミ受取部材２２は、ケーシング１２より抜き出すことができるので、ゴミ箱１０の分解掃除、洗浄を容易に行うことができる。
【００４７】
上述の実施例では、ロックピン６４は、取っ手部材５０の傾動に伴う押し込み部材４６の移動によってロック解除方向に移動するが、このロック解除方向の移動は、ロックピン６４と取っ手部材５０とを連動関係で連結することにより、取っ手部材５０の傾動によって直接的に行われるようにすることもできる。
【００４８】
図８は、本実施例のゴミ箱１０を自動車の前部座席１００の下方空間に設置した使用例を示している。図８（Ａ）はゴミ受取部材差し込み状態（閉状態）を、図８（Ｂ）はロック解除状態を、図（Ｃ）はゴミ受取部材引き出し状態を各々示している。この場合、ゴミ箱取付対象物は、前部座席１００のシートフレーム（図示省略）になり、リング部材４３（図１参照）は、シートフレームの下底面に固定される。
【００４９】
この使用例では、取っ手部材５０が前部座席１００の後部にあって、後部座席に着座している乗員がゴミ箱１０を利便性よく使うことができる。
【００５０】
ゴミ箱１０は、横長で、高さが嵩張ることがない横置きタイプであるので、高さがあまりない前部座席１００の下方空間に設置でき、乗員空間を狭くすることなく、デッドスペースであった前部座席１００の下方空間を有効利用することができる。
【符号の説明】
【００５１】
１０  ゴミ箱
１２  ケーシング
１４  ゴミ収容室
１６  前端開口部
１８  後部蓋体
２０  ゴミ取出口
２２  ゴミ受取部材
２４  ゴミ受取部
２８  仕切り板
３６  堰き止め板
４２  マウント部
４６  押し込み部材
５０  取っ手部材
６４  ロックピン
６８  係合孔
７０  カム部
【図１】
2011251839.tif 000003
【図２】
2011251839.tif 000004
【図３】
2011251839.tif 000005
【図４】
2011251839.tif 000006
【図５】
2011251839.tif 000007
【図６】
2011251839.tif 000008
【図７】
2011251839.tif 000009
【図８】
2011251839.tif 000010